(57)【要約】【課題】空焼き動作時のヒータ表面温度の異常上昇を抑え、ヒータ断線や絶縁劣化を防止することを目的とする。【解決手段】空焼き動作開始時の初期気化部温度が所定温度以下の場合には、ヒータ制御部５はヒータ２に通電を開始し、初回ヒータＯＦＦ温度以上になった後はパターンＩで前記ヒータ２を間欠的にＯＮ／ＯＦＦ制御して気化部１を加熱し、パターンＩが終了するか、もしくは、気化部温度検出手段４が初回ヒータＯＦＦ温度よりも高い温度に設定された第２ヒータＯＦＦ温度以上を検出すると、パターンＩＩでヒータを間欠的にＯＮ／ＯＦＦ制御して気化部１を所定の温度に保持して空焼き動作を行うようにして、ヒータ表面温度の極端な上昇を抑えつつ、タール除去に適した気化部温度を確保するようにしている。【選択図】  図１
2004211984.tif 000002
【特許請求の範囲】
【請求項１】
燃料を供給する燃料供給手段と、供給された燃料を気化させる気化部と、この気化部を加熱するヒータと、前記気化部で気化したガスを燃焼させるバーナ部と、温風を室内へ吹き出す対流ファンと、前記気化部に配設した温度検出器と、この温度検出器からの信号により気化部温度を検出する気化部温度検出手段と、前記ヒータのＯＮ／ＯＦＦを制御するヒータ制御部と、前記気化部の内部に溜まったタールを除去する空焼き動作制御部を備え、空焼き動作開始時に前記気化部温度検出手段からの初期気化部温度が所定温度以下の場合には、前記ヒータ制御部はヒータに通電を開始し、初回ヒータＯＦＦ温度以上になった後はパターンＩで前記ヒータを間欠的にＯＮ／ＯＦＦ制御して気化部を加熱し、前記パターンＩが終了するか、もしくは、前記気化部温度検出手段が初回ヒータＯＦＦ温度よりも高い温度に設定された第２ヒータＯＦＦ温度以上を検出すると、パターンＩＩで前記ヒータを間欠的にＯＮ／ＯＦＦ制御して気化部を所定の温度に保持して空焼き動作を行うようにした燃焼制御装置。
【請求項２】
ヒータ制御部はタイマー部を有し、パターンＩは前記タイマー部からのＯＮ／ＯＦＦ信号でヒータを複数回にわたって間欠的にＯＮ／ＯＦＦ制御して気化部を加熱する構成とした請求項１記載の燃焼制御装置。
【請求項３】
パターンＩＩはタイマー部からのＯＮ／ＯＦＦ信号でヒータを間欠的にＯＮ／ＯＦＦ制御して気化部を所定の温度に保持する構成とした請求項１または２記載の燃焼制御装置。
【請求項４】
タイマー部からのパターンＩのＯＮ信号出力時間は繰り返し回数に応じて短く設定し、ヒータＯＦＦ信号出力時間は繰り返し回数に応じて長く設定した請求項１〜３のいずれか１項記載の燃焼制御装置。
【請求項５】
初期気化部温度から初回ヒータＯＦＦ温度までの温度差と到達時間から決まる温度勾配により、パターンＩのＯＮ信号出力時間とＯＦＦ信号出力時間のＤＵＴＹを変更する構成とした請求項１〜４のいずれか１項記載の燃焼制御装置。
【請求項６】
気化部温度検出手段が第３ヒータＯＦＦ温度以上を検出したときは、パターンＩＩのＯＮ信号出力時間とＯＦＦ信号出力時間のＤＵＴＹを変更する構成とした請求項１〜５のいずれか１項記載の燃焼制御装置。
【請求項７】
気化部温度検出手段がヒータＯＮ温度以下を検出したときは、パターンＩＩのＯＮ信号出力時間とＯＦＦ信号出力時間のＤＵＴＹを変更する構成とした請求項１〜５のいずれか１項記載の燃焼制御装置。
【請求項８】
気化部温度検出手段が第４ヒータＯＦＦ温度以上を検出したときは、ヒータ制御部はＯＦＦ信号を出力し、その後、前記気化部温度検出手段が第２ヒータＯＮ温度以下を検出したときに、パターンＩＩのＯＮ／ＯＦＦ制御を再開する構成とした請求項１〜７のいずれか１項記載の燃焼制御装置。
【発明の詳細な説明】
【０００１】
【発明の属する技術分野】
本発明は液体燃料を気化させて燃焼させる燃焼暖房機の制御装置に関するものである。
【０００２】
【従来の技術】
従来この種の燃焼暖房機は図１に示すように構成されている。気化部１に埋設されたヒータ２に通電して加熱し、気化部１の適所に設けた温度検出器３により気化部温度検出手段４で気化部温度を検出することで、ヒータ制御部５を介して気化部温度を予め定めた温度に制御するようにしている。
【０００３】
そして、６は空焼き動作制御部であり、空焼きモードが設定されると、非燃焼時にヒータ２に通電し気化部１の温度をタールを気化させるための温度以上に保つとともに、電磁ポンプ７を駆動させて気化部１の内部に溜まったタール分を外部に除去するように制御している。また、対流ファン８を所定の回転数で動作させ、気化部１で気化したタール分を燃焼暖房機の庫外に排出する。すなわち、上記ヒータ制御部５には気化部内部に溜まったタール分を気化するために必要な気化温度を確保するため、適正なＯＮ／ＯＦＦ温度レベルが設けられ、気化部温度検出手段４からの信号がＯＮ温度より低下するとヒータ２への通電を開始し、ＯＦＦ温度より上昇するとヒータ２への通電を停止するというように、予め定めた一定の温度幅で気化部温度を制御するようにしていた。図２に本制御方式のヒータ制御部５からのＯＮ／ＯＦＦ信号、気化部温度検出手段４からの温度変化、ヒータ２の表面温度の時系列変化を示す（特許文献１参照）。
【０００４】
【特許文献１】
特開平０９−２２９３５８号公報
【０００５】
【発明が解決しようとする課題】
しかしながら、従来のようにヒータを介して気化部を加熱するように構成された燃焼暖房機においては、ヒータと気化部の熱伝導のバラツキや気化部の熱容量の影響で気化部全体の温度を気化内部に溜まったタール分を気化するために必要な気化温度まで確実に上昇するためにはＯＮ／ＯＦＦ温度、特にＯＦＦ温度をかなり高く設定する必要があり、そのためヒータ表面温度が極端に上昇してしまうという結果になる。そして、ヒータ表面温度の高い状態で空焼きを続けた場合は、ヒータ断線や絶縁劣化につながるという課題を有するものであった。
【０００６】
また、気化部温度が低い状態からの空焼き動作開始時、熱容量のある気化部全体の温度を上げるためにヒータ通電時間が長くなり、気化部温度検出手段がタールを気化させる適温を検出したときには、ヒータ表面温度は非常に高い温度になっているという課題があった。
【０００７】
【課題を解決するための手段】
本発明は上記従来の課題を解決するため、燃料を供給する燃料供給手段と、供給された燃料を気化させる気化部と、この気化部を加熱するヒータと、前記気化部で気化したガスを燃焼させるバーナ部と、温風を室内へ吹き出す対流ファンと、前記気化部に配設した温度検出器と、この温度検出器からの信号により気化部温度を検出する気化部温度検出手段と、前記ヒータのＯＮ／ＯＦＦを制御するヒータ制御部と、前記気化部の内部に溜まったタールを除去する空焼き動作制御部を備え、空焼き動作開始時に前記気化部温度検出手段からの初期気化部温度が所定温度以下の場合には、前記ヒータ制御部はヒータに通電を開始し、初回ヒータＯＦＦ温度以上になった後はパターンＩで前記ヒータを間欠的にＯＮ／ＯＦＦ制御して気化部を加熱し、前記パターンＩが終了するか、もしくは、前記気化部温度検出手段が初回ヒータＯＦＦ温度よりも高い温度に設定された第２ヒータＯＦＦ温度以上を検出すると、パターンＩＩで前記ヒータを間欠的にＯＮ／ＯＦＦ制御して気化部を所定の温度に保持して空焼き動作を行うように構成してある。
【０００８】
上記発明によれば、第２ヒータＯＦＦ温度よりも低い温度に設定された初回ヒータＯＦＦ温度でヒータ通電を停止し、その後、パターンＩでヒータへの通電／非通電が繰り返されるため、ヒータの表面温度の上昇を抑制しつつ、気化部全体の温度をタールを気化させる適温まで上げることが出来る。また、パターンＩでヒータを間欠的にＯＮ／ＯＦＦ制御している時に気化部温度検出手段が第２ヒータＯＦＦ温度以上を検出するとパターンＩでのＯＮ／ＯＦＦ制御を終了するため、ヒータ表面温度が異常上昇する前に間欠制御を中止できるので、ヒータ断線及び絶縁劣化不良の発生を防止出来る。また、気化部温度に適した温度以上になった後は、パターンＩと切り替えたパターンＩＩによるヒータのＯＮ／ＯＦＦ制御を行うため、ヒータ表面温度をあまり高くすることなくタール分を気化するために必要な気化温度が確保でき、ヒータ表面温度の上昇を抑制することができる。よって、ヒータ表面温度の異常上昇によるヒータ断線及び絶縁劣化不良の発生を防止でき、気化器内部のタール分を確実に除去出来る。
【０００９】
【発明の実施の形態】
本発明の請求項１の燃焼制御装置は、燃料を供給する燃料供給手段と、供給された燃料を気化させる気化部と、この気化部を加熱するヒータと、前記気化部で気化したガスを燃焼させるバーナ部と、温風を室内へ吹き出す対流ファンと、前記気化部に配設した温度検出器と、この温度検出器からの信号により気化部温度を検出する気化部温度検出手段と、前記ヒータのＯＮ／ＯＦＦを制御するヒータ制御部と、前記気化部の内部に溜まったタールを除去する空焼き動作制御部を備え、空焼き動作開始時に前記気化部温度検出手段からの初期気化部温度が所定温度以下の場合には、前記ヒータ制御部はヒータに通電を開始し、初回ヒータＯＦＦ温度以上になった後はパターンＩで前記ヒータを間欠的にＯＮ／ＯＦＦ制御して気化部を加熱し、前記パターンＩが終了するか、もしくは、前記気化部温度検出手段が初回ヒータＯＦＦ温度よりも高い温度に設定された第２ヒータＯＦＦ温度以上を検出すると、パターンＩＩで前記ヒータを間欠的にＯＮ／ＯＦＦ制御して気化部を所定の温度に保持して空焼き動作を行うように構成してある。
【００１０】
そして、第２ヒータＯＦＦ温度よりも低い温度に設定された初回ヒータＯＦＦ温度でヒータ通電を停止し、その後、パターンＩでヒータへの通電／非通電が繰り返されるため、ヒータの表面温度の上昇を抑制しつつ、気化部全体の温度をタールを気化させる適温まで上げることが出来る。また、パターンＩでヒータを間欠的にＯＮ／ＯＦＦ制御している時に気化部温度検出手段が第２ヒータＯＦＦ温度以上を検出するとパターンＩでのＯＮ／ＯＦＦ制御を終了するため、ヒータ表面温度が異常上昇する前に間欠制御を中止できるので、ヒータ断線及び絶縁劣化不良の発生を防止出来る。また、気化部温度が空焼きに適した温度以上になった後は、パターンＩと切り替えたパターンＩＩによるヒータのＯＮ／ＯＦＦ制御を行うため、ヒータ表面温度をあまり高くすることなくタール分を気化するために必要な気化温度が確保でき、ヒータ表面温度の上昇を抑制することができる。よって、ヒータ表面温度の異常上昇によるヒータ断線及び絶縁劣化不良の発生を防止でき、気化器内部のタール分を確実に除去出来る。
【００１１】
また、本発明の請求項２の燃焼制御装置は、ヒータ制御部はタイマー部を有し、パターンＩは前記タイマー部からのＯＮ／ＯＦＦ信号でヒータを複数回にわたって間欠的にＯＮ／ＯＦＦ制御して気化部を加熱する構成としてある。
【００１２】
そして、タイマー部で予め設定した動作時間パターンに基づき複数回にわたってヒータを間欠的に加熱制御するため、ヒータ表面温度の上昇を抑えつつ、気化部温度がタール分を気化するために必要な気化温度まで確実に上昇させることが出来る。更に、タイマー回路やマイクロコンピュータのタイマー機能を利用することで回路構成の簡素化を図ることが出来る。
【００１３】
また、本発明の請求項３の燃焼制御装置は、パターンＩＩは前記タイマー部からのＯＮ／ＯＦＦ信号でヒータを間欠的にＯＮ／ＯＦＦ制御して気化部を所定の温度に保持する構成としてある。
【００１４】
そして、タイマー部で予め設定した動作時間パターンに基づき複数回にわたってヒータを間欠的に加熱制御するため、ヒータ表面温度の上昇を抑えつつ、確実に気化部温度がタール分を気化するために必要な気化温度が保持出来る。更に、タイマー回路やマイクロコンピュータのタイマー機能を利用することで回路構成の簡素化を図ることが出来る。
【００１５】
また、本発明の請求項４の燃焼制御装置は、タイマー部からのパターンＩのＯＮ信号出力時間は繰り返し回数に応じて短く設定し、ヒータＯＦＦ信号出力時間は繰り返し回数に応じて長く設定する構成としてある。
【００１６】
そして、パターンＩによるＯＮ／ＯＦＦ制御でヒータの極端な温度上昇を抑えつつ、気化部をタール除去に最適な温度まで上げることが出来、ヒータ断線及び絶縁劣化不良の発生を防止できる。
【００１７】
また、本発明の請求項５の燃焼制御装置は、初期気化部温度から初回ヒータＯＦＦ温度までの温度差と到達時間から決まる温度勾配により、パターンＩのＯＮ信号出力時間とＯＦＦ信号出力時間のＤＵＴＹを変更する構成としてある。
【００１８】
そして、外気温や商用電源電圧の変動など外的要因により、温度勾配が変化したことを検知してパターンＩのＯＮ信号出力時間とＯＦＦ信号出力時間のＤＵＴＹを変更するので、気化部をタール除去のための最適な温度に出来る。
【００１９】
また、本発明の請求項６の燃焼制御装置は、気化部温度検出手段が第３ヒータＯＦＦ温度以上を検出したときは、パターンＩＩのＯＮ信号出力時間とＯＦＦ信号出力時間のＤＵＴＹを変更する構成としてある。
【００２０】
そして、外気温や商用電源電圧の変動など外的要因により、気化部の温度が上昇したことを検知してパターンＩＩのＯＮ信号出力時間とＯＦＦ信号出力時間のＤＵＴＹをＯＦＦ時間が長くなるように変更するので、ヒータ表面温度の異常上昇を抑えつつ、気化部をタール除去のための最適な温度に補正出来る。
【００２１】
また、本発明の請求項７の燃焼制御装置は、気化部温度検出手段がヒータＯＮ温度以下を検出したときは、パターンＩＩのＯＮ信号出力時間とＯＦＦ信号出力時間のＤＵＴＹを変更する構成としてある。
【００２２】
そして、外気温や商用電源電圧の変動など外的要因により、気化部の温度が下降したことを検知してパターンＩＩのＯＮ信号出力時間とＯＦＦ信号出力時間のＤＵＴＹをＯＮ時間が長くなるように変更するので、気化部をタール除去のための最適な温度に補正出来る。
【００２３】
また、本発明の請求項８の燃焼制御装置は、気化部温度検出手段が第４ヒータＯＦＦ温度以上を検出したときは、ヒータ制御部はＯＦＦ信号を出力し、その後、前記気化部温度検出手段が第２ヒータＯＮ温度以下を検出したときに、パターンＩＩのＯＮ／ＯＦＦ制御を再開する構成としてある。
【００２４】
そして、外気温や商用電源電圧の変動など外的要因により、気化部の温度が上がりすぎたことを検知してヒータへの通電をＯＦＦすることができるので、ヒータ表面温度の上昇を抑制することができる。よって、ヒータ表面温度の異常上昇によるヒータ断線及び絶縁劣化不良の発生を防止できる。そして、気化部の温度が下がってくると空焼き動作を再開出来るので、気化器内部のタール分を確実に除去出来る。
【００２５】
【実施例】
以下、本発明の実施例について図面に基づいて説明する。
【００２６】
（実施例１）
図１は本発明の実施例１の燃焼暖房機のブロック図である。
【００２７】
従来例と同一部分は同一番号を附記して説明を省略し、異なる部分の説明をする。９はヒータ制御部５に配設されたタイマー部であり、パターンＩ、パターンＩＩに基づきヒータ２をＯＮ／ＯＦＦ制御するためのＯＮ信号出力時間／ＯＦＦ信号出力時間を生成する。
【００２８】
図２、図３は本発明の実施例１の燃焼暖房機のヒータ制御部５のフローチャートである。
【００２９】
上記構成における燃焼制御装置の動作を図１〜３を用いて説明する。
【００３０】
空焼きモードが設定されていない場合、空焼き動作制御部６はヒータ制御部５へ空焼き動作ＯＦＦを指示する。その指示を受けて、ヒータ２をＯＦＦにすると共に、パターンＩ終了フラグ、初回温度判断フラグを０にし、パターンＩ、パターンＩＩの繰り返しをカウントするカウンタをクリアし、タイマーをストップする（ステップ１２から１５）。負荷電磁ポンプ７、対流ファン８も停止のままである。
【００３１】
次に、空焼きモードが設定されて空焼き動作を開始すると、ステップ１１はＹｅｓへと進む。初回温度判断フラグは１なので、空焼き動作開始時の初期気化部温度を判断するために、ステップ１６はＮｏに進む。最初から気化部温度がパターンＩ終了温度以上であれば、既に気化部１全体がタール除去に適した温度付近まで上昇していると判断できるので、パターンＩ終了フラグを１にする（ステップ１７、１８）。この条件処理によりヒータ表面温度の極端な上昇を抑制することができ、ヒータ断線及び絶縁劣化不良の発生を防止できる。初回温度判断フラグを１にする（ステップ１９）ことで、次回からはステップ１６はＹｅｓへと進む。
【００３２】
初回ヒータＯＦＦ温度以上になるまでヒータ２には連続通電する（ステップ２０、２１）。
【００３３】
パターンＩ終了フラグが１であれば（ステップ２２でＹｅｓ）、気化部温度は所定の温度まで上昇したと判断して、図３に示すパターンＩＩによるヒータ２の間欠制御へと進む。パターンＩ終了フラグが０であれば（ステップ２２でＮｏ）、パターンＩによるヒータ２の間欠制御を行う。気化部温度が第２ヒータＯＦＦ温度以上であれば、既に気化部１の温度が空焼きに適した温度まで上昇していると判断して気化部を加熱するパターンＩの間欠制御を終了させ（ステップ２３、２４）、次回からは、気化部温度を一定に保持するパターンＩＩによる間欠制御に移る。この条件処理により、気化部１をタール除去に最適な温度に出来るとともに、パターンＩによるヒータ通電で表面温度の不要な上昇を抑制することができ、ヒータ断線及び絶縁劣化不良の発生を防止できる。
【００３４】
タイマーがオーバフローしていなければ、何もしないで処理を終了させる（ステップ２５のＮｏ）。タイマーがオーバフローしていれば（ステップ２５のＹｅｓ）、カウンタ値を＋１し、タイマーにカウンタ値に対応した次ステップの時間をセットする（ステップ２６）。例として（表１）にカウンタ値とタイマー時間のテーブル表を示す。
【００３５】
【表１】
2004211984.tif 000003
【００３６】
初回ヒータＯＦＦ温度を超えた後、このタイマー時間でＯＮ／ＯＦＦ制御することでタール除去に適した温度まで加熱されるように予め設定されている。カウンタ値がパターンＩの繰り返し回数以上になったかどうかを判断し（ステップ２７）、終了していればパターンＩ終了フラグを１にする（ステップ２８）。そして、カウンタ値が偶数か奇数かを判断し（ステップ２９）、奇数ならヒータをＯＦＦし、偶数ならヒータをＯＮする（ステップ３０、３１）。
【００３７】
このように、マイクロコンピュータ（図示せず）で実現されたタイマー機能により、パターンＩのＯＮ時間／ＯＦＦ時間に基づいてヒータ２を間欠制御することで、気化部温度をタール除去に最適な温度まで加熱する事が出来、確実な空焼き動作が出来る。更に、初回ヒータＯＦＦ温度を超えた後は、気化部１の加熱をパターンＩによる間欠制御に切り替えるため、最適な温度まで連続通電でヒータ加熱した場合に比べてヒータ２の表面温度を抑えることが出来る。
【００３８】
パターンＩ終了フラグが１の場合、図３に示すパターンＩＩによるヒータ２の間欠制御により気化部温度を一定温度に保持する。タイマーがオーバフローしていなければ何もしないで処理を終了させる（ステップ３９のＮｏ）。タイマーがオーバフローしていれば（ステップ３９のＹｅｓ）、カウンタ値を＋１し、タイマーにカウンタ値に対応した次ステップの時間をセットする（ステップ４０）。例として（表２）にカウンタ値とタイマー時間のテーブル表を示す。
【００３９】
【表２】
2004211984.tif 000004
【００４０】
このタイマー時間でＯＮ／ＯＦＦ制御することでタール除去に適した温度が保持されるように予め設定されている。カウンタ値がパターンＩＩの繰り返し回数以上になったかどうかを判断し（ステップ４１）、終了していればカウンタ値をクリアし、カウンタ値に相当するタイマー時間をセットする（ステップ４２）。そしてカウンタ値が偶数か奇数かを判断し（ステップ４３）、奇数ならヒータをＯＦＦし、偶数ならヒータをＯＮする（ステップ４４、４５）。
【００４１】
このように、マイクロコンピュータで実現されたタイマー機能によりパターンＩＩのＯＮ時間、ＯＦＦ時間に基づいてヒータを間欠制御するので気化部温度をタール除去に最適な温度で保持する事が出来、確実な空焼き動作が出来る。更に、予め定められたＯＮ時間／ＯＦＦ時間に基づいてヒータに通電するため、ヒータ１の表面温度を抑えることが出来、ヒータ断線及び絶縁劣化不良を防止できる。
【００４２】
更に、ステップ３２からステップ３７で図示されているように、気化部温度が上がりすぎた場合にヒータを強制的にＯＦＦし、第２ヒータＯＮ温度より下がると再度パターンＩＩによる間欠制御を再開している。このように、外気温や商用電源電圧の変動など外的要因により、気化部の温度勾配の変化を検知してヒータ制御をＯＮ／ＯＦＦすることができるので、ヒータ表面温度の異常上昇を抑制することができる。
【００４３】
（実施例２）
図４は本発明の実施例２のヒータ制御部５のフローチャートである。
【００４４】
従来例、実施例１と同一部分は同一番号を附記して説明を省略し、異なる部分の説明をする。
【００４５】
空焼きモードが設定されていない場合、何もせずにこの処理を抜ける（ステップ５０）。空焼き指示があると、初回温度判断フラグが０なら（ステップ５１のＮｏ）、気化部温度検出手段４からの気化部温度を変数”Ａ”に記憶する（ステップ５２）。そして、気化部１の温度上昇勾配を計測するためのタイマーを起動させる（ステップ５３）。
【００４６】
初回ヒータＯＦＦ温度を超えるまで、何もせずに処理を抜ける（ステップ５４）。初回ヒータＯＦＦ温度を超えたらステップ５３で起動したタイマーをストップさせ、計測時間を変数”Ｂ”に記憶する（ステップ５６）。空焼き動作開始から初回ヒータＯＦＦ温度までの温度勾配を「傾き＝（初回ヒータＯＦＦ温度−Ａ）／Ｂ」から算出する（ステップ５７）。この傾きが予め設定された値Ｘより大きければ、加熱速度が速いと判断して、パターンＩのＯＮ時間を所定時間だけ短くする（ステップ５８、５９）。また、傾きが予め設定された値Ｙより小さければ、加熱速度が遅いと判断して、パターンＩのＯＮ時間を所定量だけ長くする（ステップ６０、６１）。このように、外気温や商用電源電圧の変動など外的要因により、温度勾配が変化したことを検知してパターンＩのＯＮ信号出力時間を変化させ、ＤＵＴＹを変更するので、気化部をタール除去のための最適な温度に出来る。更に、パターンＩのＯＦＦ時間を変更してＤＵＴＹを変えても同様の効果が得られる。
【００４７】
次に、パターンＩＩによる気化部温度を空焼きに適した温度に保持する制御を行っている時に、気化部温度検出手段４が、第３ヒータＯＦＦ温度以上であることを検知すると（ステップ６３のＹｅｓ）、パターンＩＩのＯＮ時間を所定時間だけ短くする（ステップ６４）。パターンＩＩのＯＦＦ時間を所定時間だけ長くしても同様の効果が得られる。気化部温度検出手段４が、第２ヒータＯＮ温度以下であることを検知すると（ステップ６５のＹｅｓ）、パターンＩＩのＯＮ時間を所定時間だけ長くする（ステップ６６）。このように、外気温や商用電源電圧の変動など外的要因により、温度勾配が変化したことを検知してパターンＩＩのＯＮ信号出力時間を変化させ、ＤＵＴＹを変更するので、気化部をタール除去のための最適な温度に保持出来る。更に、パターンＩＩのＯＦＦ時間を所定時間だけ短くしても同様の効果が得られる。
【００４８】
【発明の効果】
以上のように本発明によれば、第２ヒータＯＦＦ温度よりも低い温度に設定された初回ヒータＯＦＦ温度でヒータ通電を停止し、その後、パターンＩでヒータへの通電／非通電が繰り返されるため、ヒータの表面温度の上昇を抑制しつつ、気化部の温度をタールを気化させる適温まで上げることが出来る。また、パターンＩでヒータを間欠的にＯＮ／ＯＦＦ制御している時に気化部温度検出手段が第２ヒータＯＦＦ温度以上を検出するとパターンＩでのＯＮ／ＯＦＦ制御を終了するため、ヒータ表面温度が異常上昇する前に間欠制御を中止できるので、ヒータ断線及び絶縁劣化不良の発生を防止出来る。また、気化部温度が空焼き温度以上になった後は、パターンＩと切り替えたパターンＩＩによるヒータのＯＮ／ＯＦＦ制御を行うため、ヒータ表面温度をあまり高く設定することなくタール分を気化するために必要な気化温度が確保でき、ヒータ表面温度の上昇を抑制することができる。よって、ヒータ表面温度の異常上昇によるヒータ断線及び絶縁劣化不良の発生を防止でき、気化器内部のタール分を確実に除去出来る。
【図面の簡単な説明】
【図１】本発明の実施例１における燃焼暖房機のブロック図
【図２】同燃焼暖房機におけるパターンＩによるヒータ制御のフローチャート
【図３】同燃焼暖房機におけるパターンＩＩによるヒータ制御のフローチャート
【図４】本発明の実施例２におけるヒータ制御のフローチャート
【図５】従来の燃焼暖房機のブロック図
【図６】同燃焼暖房機におけるヒータ制御時の温度変化を示す図
【符号の説明】
１  気化部
２  ヒータ
３  温度検出器
４  気化部温度検出手段
５  ヒータ制御部
６  空焼き動作制御部
７  電磁ポンプ
８  対流ファン
９  タイマー部
【図１】
2004211984.tif 000005
【図２】
2004211984.tif 000006
【図３】
2004211984.tif 000007
【図４】
2004211984.tif 000008
【図５】
2004211984.tif 000009
【図６】
2004211984.tif 000010